(57)【要約】      （修正有）【課題】サーミスター式加熱器の構造を提供する。【解決手段】主にサーミスターユニット１０、電極体２０及び絶縁ハウジング３０で構成するサーミスター式加熱器１の構造である。電極体２０に含まれるのは第一電極板２１及び第二電極板２２である。第一電極板２１及び第二電極板２２は対応してサーミスターユニットの相対する二つの側面に貼り付け、且つ第一電極板２１の一端に第一ガイドシート２１１を具有し、第二電極板２２の一端に第二ガイドシート２２１を具有する。絶縁ハウジング３０はインサート成型の方法を以ってサーミスターユニット１０及び電極体２０を結合する。絶縁ハウジング３０は一体式にサーミスターユニット１０及び電極体２０を覆い、第一ガイドシート２１１及び第二ガイドシート２２１のみを外に露出する。よってサーミスター式加熱器１の防水性を保つことで使用寿命を延ばす。【選択図】図１
0003213365.tif 000002
【実用新案登録請求の範囲】
【請求項１】
サーミスターユニット、電極体及び絶縁ハウジングを含み、
該電極体に含まれるのは一つの第一電極板及び一つの第二電極板であり、該第一電極板及び該第二電極板は対応して該サーミスターユニットの相対する二つの側面に貼り付け、且つ該第一電極板の一端に一つの第一ガイドシートを具有し、該第二電極板の一端に一つの第二ガイドシートを具有し、及び、
該絶縁ハウジングはインサート成型の方法を以って該サーミスターユニット及び該電極体を結合し、該絶縁ハウジングは一体式に該サーミスターユニット及び該電極体を覆い、該第一ガイドシート及び該第二ガイドシートのみを外に露出することを特徴とするサーミスター式加熱器の構造。
【請求項２】
前記サーミスターユニットは一つの正温度係数サーミスターであることを特徴とする請求項１記載のサーミスター式加熱器の構造。
【請求項３】
前記該第一電極板及び該第二電極板はそれぞれ一つのＬ字型を呈すことを特徴とする請求項１記載のサーミスター式加熱器の構造。
【請求項４】
前記該第一ガイドシート及び該第二ガイドシートは交差して設置する状態で、該サーミスターユニットの片側より突出して延伸することを特徴とする請求項３記載のサーミスター式加熱器の構造。
【請求項５】
前記該サーミスターユニット及び該電極体で該絶縁ハウジングの内部スペースを充満することを特徴とする請求項１記載のサーミスター式加熱器の構造。
【請求項６】
前記更に一つの第一放熱体及び一つの第二放熱体を含み、該第一放熱体及び該第二放熱体は対応して該絶縁ハウジングの相対する二つの側面に貼り付けることを特徴とする請求項１記載のサーミスター式加熱器の構造。
【請求項７】
前記該第一放熱体及び該第二放熱体はそれぞれ一つの放熱フィンセットとすることを特徴とする請求項６記載のサーミスター式加熱器の構造。
【請求項８】
前記該第一放熱体に含まれるのは該絶縁ハウジングの一つの側面に貼り付ける一つの第一導熱プレート及び、該第一導熱プレートに設置する一つの第一波状フィンであり、該第二放熱体に含まれるのは該絶縁ハウジングの別の一つの側面に貼り付ける一つの第二導熱プレート及び、該第二導熱プレートに設置する一つの第二波状フィンであることを特徴とする請求項７記載のサーミスター式加熱器の構造。
【考案の詳細な説明】
【技術分野】
【０００１】
本考案は電気加熱器の構造に関し、特にサーミスター式加熱器の構造に関する。
【背景技術】
【０００２】
電気加熱器は既に広く生活の中で応用されている。例えば日常的に使用する乾燥機、室内ヒーター或いはハンドドライヤー或いは浴室乾燥機などの熱気は主に電気加熱器を利用している。
【０００３】
一般的な電気加熱器の使用原理は、主に電気エネルギーを直接熱エネルギーに変換し、加熱の過程を実現する。その中でもサーミスター(thermistor)などのように、抵抗式電気加熱器は、導体の抵抗を利用して熱エネルギーを発生しては加熱する。その中、抵抗値は温度の変化に連れて変わり、抵抗は温度が上昇すると増加し、それを正温度係数(以下ＰＴＣとする、Positive Temperature Coefficient)サーミスターと呼ばれる。
【０００４】
更に従来のＰＴＣサーミスターの電気加熱器の構造に含まれるのは、主に一つのＰＴＣ加熱モジュールを一つの金属ケース内に設置し、更に絶縁接着剤を使って金属ケースの周りをシーリングすることで、外部の水気がケース内に入るのを避ける。しかし、現有のＰＴＣサーミスターの電気加熱器の絶縁接着剤のコストは比較的高く、且つ長時間の使用或いは環境の影響を受けて老化し、金属ケースがしっかり密閉できず、防水性を保てずに、ＰＴＣ加熱モジュールが錆びて腐食或いは漏電の状況が発生しやすいなどを鑑みて、更なる改善が必要であった。
【先行技術文献】
【特許文献】
【０００５】
【特許文献１】特開2007-90066号公報
【考案の概要】
【考案が解決しようとする課題】
【０００６】
前記公知構造の欠点を解決するために、本考案の第１の目的は、防水性を保ち、使用寿命を延ばすサーミスター式加熱器の構造を提供することにある。
本考案の第２の目的は、構造をシンプル化し、全体の製造コストを下げるサーミスター式加熱器の構造を提供することにある。
【課題を解決するための手段】
【０００７】
上述の目的を解決するために、本考案はサーミスター式加熱器の構造を提供するものである。サーミスターユニット、電極体及び絶縁ハウジングを含む。電極体に含まれるのは第一電極板及び第二電極板である。第一電極板及び第二電極板は対応してサーミスターユニットの相対する二つの側面に貼り付け、且つ第一電極板の一端に第一ガイドシートを具有し、第二電極板の一端に第二ガイドシートを具有する。絶縁ハウジングはインサート成型の方法を以ってサーミスターユニット及び電極体を結合する。絶縁ハウジングは一体式にサーミスターユニット及び電極体を覆い、第一ガイドシート及び第二ガイドシートのみを外に露出する。
【０００８】
従来技術と比較すると、本考案のサーミスター式加熱器の絶縁ハウジングは導熱プラスティックで構成し、且つ絶縁ハウジングはインサート成型の方法を用いてサーミスターユニット及び電極体を結合する。絶縁ハウジングは一体式にサーミスターユニット及び電極体を覆い、第一ガイドシート及び第二ガイドシートのみを外に露出する。これにより、絶縁ハウジングの内部或いは外周縁に絶縁接着剤を塗布する必要がなく、よって絶縁接着剤が老化して腐食或いは漏電の状況が発生しない。本考案のサーミスター式加熱器はサーミスターユニット及び電極体に絶対的な密閉性を提供することができるため、使用寿命を延ばすことができる。この他、全体の構造がシンプルであるため、製造過程を簡単にし、且つ全体のコストを下げることができる。
【考案の効果】
【０００９】
本考案の構造により、絶縁ハウジングの内部或いは外周縁に絶縁接着剤を塗布する必要がなく、よって絶縁接着剤が老化して腐食或いは漏電の状況が発生しない。また、サーミスターユニット及び電極体に絶対的な密閉性を提供することができるため、使用寿命を延ばすことができる。この他、全体の構造がシンプルであるため、製造過程を簡単にし、且つ全体のコストを下げることができる。
【図面の簡単な説明】
【００１０】
【図１】本考案のサーミスター式加熱器の立体外観略図である。
【図２】本考案のサーミスター式加熱器の立体分解略図である。
【図３】本考案のサーミスター式加熱器の組立断面図である。
【図４】本考案のサーミスター式加熱器の応用略図である。
【考案を実施するための形態】
【００１１】
以下、本考案の構造と特徴および効果を、最良実施例と図面を参照しながら詳細に説明する。添付する図面は参考及び説明用のものであり、本考案を制限するものではない。
【実施例】
【００１２】
図１から図３に示すのはそれぞれ本考案のサーミスター式加熱器の立体外観略図、立体分解略図及び組立断面図である。図１に示すように、本考案のサーミスター式加熱器１に含まれるのは一つのサーミスターユニット１０、一つの電極体２０及び一つの絶縁ハウジング３０である。該サーミスターユニット１０、該電極体２０及び該絶縁ハウジング３０はインサート成型(Inserting Molding)の方法で一体に結合する。即ち該絶縁ハウジング３０は該サーミスターユニット１０及び該電極体２０を内側にシーリングする。後述に更に詳しく該サーミスター式加熱器１の構造を説明する。
【００１３】
図２に示すように、本実施例において、該サーミスターユニット１０は一つの正温度係数(略してＰＴＣ、Positive Temperature Coefficient)サーミスターを設置する。また、該サーミスターユニット１０の原理及び構造は従来技術であるため、ここで再度言及しない。
【００１４】
該電極体２０に含まれるのは一つの第一電極板２１及び一つの第二電極板２２である。該第一電極板２１及び該第二電極板２２は対応して該サーミスターユニット１０の相対する二つの側面に貼り付ける。また、該第一電極板２１の一端に一つの第一ガイドシート２１１を具有し、該第二電極板２２の一端に一つの第二ガイドシート２２１を具有する。
【００１５】
説明するのは、該電極体２０は該サーミスターユニット１０と電気接続し、且つ該第一ガイドシート２１１及び該第二ガイドシート２２１は一つの外部電力と電気接続することで、該サーミスターユニット１０が運行時に必要な電力を提供する。
【００１６】
最良実施例として、該第一電極板２１及び該第二電極板２２はそれぞれ一つのＬ字型を呈す。また、該第一ガイドシート２１１及び該第二ガイドシート２２１は交差して設置する状態で、該サーミスターユニット１０の片側より突出して延伸する。
【００１７】
更に該絶縁ハウジング３０の最良実施例として、導熱プラスティックで構成する。また、該絶縁ハウジング３０はインサート成型の方法を以って該サーミスターユニット１０及び該電極体２０を結合する。更に詳しく記載すると、該絶縁ハウジング３０は一体式に該サーミスターユニット１０及び該電極体２０を覆い、該第一ガイドシート２１１及び該第二ガイドシート２２１のみを外に露出する。説明することは、本考案のサーミスター式加熱器１は炊飯器、水槽加熱器、カールアイロンなど、熱を発する製品に使用することができ、当該実施方法は導熱プラスティックの外ケースを介し、応用する製品の出口にまで熱を伝導する。図３に示すように、具体的に言えば、該サーミスターユニット１０及び該電極体２０で該絶縁ハウジング３０の内部スペースを充満する。即ち該絶縁ハウジング３０の内部或いは外周縁は絶縁接着剤を塗布しなくても、該サーミスターユニット１０及び該電極体２０に対し、絶対的な密閉性を提供することができる。
【００１８】
更に図４に示すのは、本考案のサーミスター式加熱器の応用略図である。図に示すように、本考案の第一実施例において、該サーミスター式加熱器１は更に一つの第一放熱体４０及び一つの第二放熱体５０を含む。該第一放熱体４０及び該第二放熱体５０は対応して該絶縁ハウジング３０の相対する二つの側面に貼り付ける。
【００１９】
最良実施例として、該第一放熱体４０及び該第二放熱体５０はそれぞれ一つの放熱フィンセットとする。更に詳しく記載すると、該第一放熱体４０に含まれるのは該絶縁ハウジング３０の一つの側面に貼り付ける一つの第一導熱プレート４１及び、該第一導熱プレート４１に設置する一つの第一波状フィン４２である。また、該第二放熱体５０に含まれるのは該絶縁ハウジング３０の別の一つの側面に貼り付ける一つの第二導熱プレート５１及び、該第二導熱プレート５１に設置する一つの第二波状フィン５２である。ただ、実際に実施する際、該第一放熱体４０及び該第二放熱体５１の形態は、これに制限されない。
【００２０】
以上の実施例による本考案の詳細な説明は本考案の範囲を制限するものではない。本技術に熟知する者が、本考案の範囲内にて変更や調整を行っても、本考案の重要な意義は失われず、本考案の範囲に含まれる。
【符号の説明】
【００２１】
１ サーミスター式加熱器
１０ サーミスターユニット
２０ 電極体
２１  第一電極板
２１１  第一ガイドシート
２２  第二電極板
２２１  第二ガイドシート
３０  絶縁ハウジング
４０  第一放熱体
４１  第一導熱プレート
４２  第一波状フィン
５０  第二放熱体
５１  第二導熱プレート
５２  第二波状フィン
【図１】
0003213365.tif 000003
【図２】
0003213365.tif 000004
【図３】
0003213365.tif 000005
【図４】
0003213365.tif 000006